【手続補正書】
【提出日】平成23年1月31日(2011.1.31)
【手続補正１】
【補正対象書類名】特許請求の範囲
【補正対象項目名】全文
【補正方法】変更
【補正の内容】
【特許請求の範囲】
【請求項１】
シート材からなるシート積層物を処理するための装置であって、
それらの間にギャップを形成し、ギャップを増大、減少させるように相互に移動可能である第一及び第二のクランピングジョーと、
前記シート積層物を、折線を中心として折り畳み、背部を有する小冊子を形成するための折畳み手段であって、前記背部が前記折線の方向に延びる凸状の端面を有するような折畳み手段と、
前記小冊子を前記ギャップの中に挿入するための挿入手段であって、前記挿入手段によって前記挿入の最終位置が決定され、前記最終位置において、前記背部が前記第一および第二のクランピングジョーの間にあるか、又は挿入方向において予め定められた距離だけ前記第一および第二のクランピングジョーより突出するような挿入手段と、
前記第一および第二のクランピングジョーを、それらの間の前記ギャップを減少させて前記小冊子にクランプ力を与えるように移動させ、かつ、前記ギャップを増加させて前記クランプ力を除去するように移動させるための移動手段と、
を備えた、装置。
【請求項２】
前記折畳み手段および前記挿入手段として往復動可能なブレードを備え、前記ブレードは、前記ギャップの中と外の間を移動可能であり、かつ、前記ギャップの中へ移動するストロークによって、前記小冊子を形成すべくその前縁を中心にして前記シートを折り畳むように前記積層物と接触し、該ストロークの終点で前記第一および第二のクランピングジョーに対する前記小冊子の前記最終位置が決定されるように構成されている、請求項１に記載の装置。
【請求項３】
前記ブレードは、前記前縁にその長さ方向に延在する溝を有している、請求項２に記載の装置。
【請求項４】
前記ギャップの中への前記ブレードの移動のストロークの間、前記ブレードによって接触される位置に前記シート積層物を供給するためのシート供給装置を有する、請求項２又は請求項３に記載の装置。
【請求項５】
前記シート供給装置は、前記シート積層物を、前記接触される位置に、前記ブレードによる挿入方向と実質的に直交する方向に供給するように設けられる、請求項4に記載の装置。
【請求項６】
前記シート積層物の前記最終位置において、前記背部は前記第一および第二のクランピングジョーの間にあり、前記クランプ力が前記小冊子の背部を再成形する効果を有する、前記いずれかの請求項に記載の装置。
【請求項７】
前記シート積層物の前記最終位置において、前記背部が挿入方向において前記第一および第二のクランピングジョーから突出しており、かつ、その状態で、前記凸状の端面に対して圧力を作用させて前記凸状の端面を平坦化すべく、前記背部の長さ方向に移動される成形装置を含む、請求項１乃至請求項５の何れか一項に記載の装置。
【請求項８】
前記成形装置がローラよりなるものである、請求項７に記載の装置。
【請求項９】
前記成形装置が前記背部の長さに沿って一回通過するよう形成されている、請求項７又は請求項８に記載の装置。
【請求項１０】
前記成形装置が前記背部の長さに沿って複数回通過するよう形成されている、請求項７又は請求項８に記載の装置。
【請求項１１】
前記シート積層物の前記最終位置が調節可能である、先行する請求項の何れか一項に記載の装置。
【請求項１２】
前記第一および第二のクランピングジョーは、前記ギャップの中間点を中心として同時にかつ対称的に移動可能である、先行する請求項の何れか一項に記載の装置。
【請求項１３】
前記シート積層物に接する前記各ジョーの面が、弾性的に変形可能である材質の面とされる、先行する請求項の何れか一項に記載の装置。
【請求項１４】
前記材質が、合成ゴム材である、請求項１３に記載の装置。
【請求項１５】
前記材質が、ショアＡ硬さ５０〜９０の硬さを有する、請求項１３又は１４に記載の装置。
【請求項１６】
前記材質が、ショアＡ硬さ７０〜８０の硬さを有する、請求項１５に記載の装置。
【請求項１７】
前記シート積層物に接する前記各ジョーの表面が、前記各ジョーの溝に嵌挿されている挿入物の表面である、先行する請求項の何れか一項に記載の装置。
【請求項１８】
前記挿入物は前記ギャップの中において、前記挿入手段により近い位置により狭いギャップ部分と、それよりも広いギャップ部分とを形成するように突出している、請求項１７に記載の装置。
【請求項１９】
前記第一および第二のクランピングジョーに隣接し、前記挿入時に前記各ジョーの間のギャップの中に前記シート積層物を案内するように配置された回転可能なガイドローラを含む、先行する請求項の何れか一項に記載の装置。
【請求項２０】
前記ガイドローラは、前記挿入時に前記シート積層物によって回転される方向と反対の方向における回転が抑制されている、請求項１９に記載の装置。
【請求項２１】
シート材からなるシート積層物を処理する方法であって、
シート材よりなるシート積層物を用意する工程と、
前記シート積層物を、背部を有する小冊子を形成するために折線を中心として折り畳む工程であって、前記背部が前記折線の方向に延びる凸状の端面を有するような工程と、
折り畳まれた前記シート積層物を、相互に移動可能である第一および第二のクランピングジョーの間に形成されたギャップの中に挿入する工程であって、前記挿入を行う挿入手段によって、前記挿入の最終位置が決定されるような工程と、
前記第一および第二のクランピングジョーを、それらの間の前記ギャップを減少させて前記小冊子にクランプ力を与えるように移動させる工程と、を含む、方法。
【請求項２２】
前記折り畳む工程および前記挿入する工程は、前記ギャップの中と外の間を往復動可能なブレードによって実施され、前記ブレードは、前記ギャップの中へ移動するストロークによって、前記小冊子を形成すべくその前縁を中心にして前記シートを折り畳むように前記積層物と接触し、該ストロークの終点で前記第一および第二のクランピングジョーに対する前記小冊子の前記最終位置を決定する、請求項２１に記載の方法。
【請求項２３】
前記シート積層物の前記最終位置において、前記背部は前記第一および第二のクランピングジョーの間に位置しており、前記クランプ力が前記小冊子の前記背部を再成形する効果を有する、請求項２１又は２２に記載の方法。
【請求項２４】
前記シート積層物の前記最終位置において、前記背部は前記第一および第二のクランピングジョーから挿入方向において突出しており、前記凸状の端面に対して圧力を作用させて前記凸状の端面を平坦化すべく、前記背部の長さ方向に成形装置を通過させる工程をさらに含む、請求項２１又は２２に記載の方法。
【請求項２５】
前記成形装置を通過させる工程は、前記成形装置を前記背部の長さ方向に沿って一回通過させる工程を含む、請求項２４に記載の方法。
【請求項２６】
前記成形装置を通過させる工程は、前記成形装置を前記背部の長さ方向に沿って複数回通過させる工程を含む、請求項２４に記載の方法。
【請求項２７】
前記第一および第二のクランピングジョーは、前記ギャップ間の中間部を中心として同時にかつ対称的に移動する、請求項２１乃至２６の何れか一項に記載の方法。
【請求項２８】
シート材からなるシート積層物を処理する方法であって、
シート材よりなるシート積層物を用意する工程と、
前記シート積層物を、背部を有する小冊子を形成するために折線を中心として折り畳む工程であって、前記背部が前記折線の方向に延びる凸状の端面を有するような工程と、
折り畳まれた前記シート積層物を、相互に移動可能である第一および第二のクランピングジョーの間に形成されたギャップの中に挿入する工程であって、前記背部の前記凸状の端面が前記第一および第二のクランピングジョーの間の所定位置にあるような工程と、
前記第一および第二のクランピングジョーを、それらの間の前記ギャップを減少させて前記小冊子の背部を再成形するためのクランプ力を与えるように移動させる工程と、を含む、方法。
【請求項２９】
前記シート積層物に接する前記各ジョーの表面が、弾性的に変形可能な材質である、請求項２１乃至２８の何れか一項に記載の方法。
【請求項３０】
前記材質が、合成ゴム素材である、請求項２９に記載の方法。